【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
マイクロ流体システムを含む基板であって、該マイクロ流体システムは、少なくとも１つの入口および１つの出口を含む、第１のマイクロ流体チャネルと、少なくとも１つの入口および１つの出口を含む、第２のマイクロ流体チャネルとを含み、該第２のマイクロ流体チャネルは、反応域と流体連通し、該反応域は、該反応域内の化学的反応および／または生物学的反応の検出を可能にする、基板と、
該第１のマイクロ流体チャネルに配置された第１の試薬であって、該第１のマイクロ流体チャネルの該少なくとも１つの入口および１つの出口は、該第１の試薬を該第１のマイクロ流体内に貯蔵するように第１の使用の前に密閉される、第１の試薬と、
流路入口および流路出口を含む流路を備える、該基板に接続することができる流体コネクタであって、接続時に、該流路入口は、該第１のマイクロ流体チャネルの該出口に接続することにより、該流路と該第１のマイクロ流体チャネルとの間の流体連通を可能にし、該流路出口は、該第２のマイクロ流体チャネルの該入口に接続することにより、該流路と該第２のマイクロ流体チャネルとの間の流体連通を可能にする、流体コネクタと
を備え、
該流路は、該基板への該流体コネクタの接続前に、該流路内に配置される試薬を含有し、
該第１のマイクロ流体チャネルおよび該第２のマイクロ流体チャネルは、第１の使用前に、相互に流体連通しておらず、第１の使用時に、該第１のマイクロ流体チャネルおよび該第２のマイクロ流体チャネルは、相互に流体連通しており、
該マイクロ流体システムは、該システム内の流体の再循環なしで動作するように構成および配設される、装置。
【請求項２】
前記第１のマイクロ流体チャネルは、さらに、前記基板への前記流体コネクタの接続前に、該第１のマイクロ流体チャネル内に配置される第２の試薬を備える、請求項１に記載の装置。
【請求項３】
前記第１の試薬および該第２の試薬は、該第１の試薬および該第２の試薬と混合しない流体によって分離される流体試薬である、請求項２に記載の装置。
【請求項４】
前記第１の試薬および該第２の試薬は、液体試薬であり、該第１の試薬および該第２の試薬と混合しない前記流体は、気体である、請求項３に記載の装置。
【請求項５】
前記第２のマイクロ流体チャネルは、該第２のマイクロ流体チャネル内に配置される試薬を含有する、請求項１に記載の装置。
【請求項６】
前記第２のマイクロ流体チャネルの中の前記試薬は、第１の使用前に乾燥させられる、請求項５に記載の装置。
【請求項７】
前記第２のマイクロ流体チャネルの中の前記試薬は、該第２のマイクロ流体チャネルの表面に吸収される、請求項５に記載の装置。
【請求項８】
前記装置はさらに、前記第１のマイクロ流体チャネルおよび前記第２のマイクロ流体チャネルを封入するよう前記基板に隣接して配置される、カバーを備える、請求項１に記載の装置。
【請求項９】
前記カバーは、テープである、請求項８に記載の装置。
【請求項１０】
前記反応域は、少なくとも１つの蛇行チャネル領域を備える、請求項１に記載の装置。
【請求項１１】
前記反応域は、直列に接続される、少なくとも２つの蛇行チャネル領域を備える、請求項１に記載の装置。
【請求項１２】
前記少なくとも２つの蛇行チャネル領域の各々は、化学的反応および／または生物学的反応を受けることができる、化学的種および／または生物学的種を備える、請求項１１に記載の装置。
【請求項１３】
前記少なくとも２つの蛇行チャネル領域の各々は、該領域の中で化学的反応および／または生物学的反応を実行する際に、該領域の各々の中での単一の均質な信号の検出を可能にする、請求項１２に記載の装置。
【請求項１４】
前記第１の蛇行チャネル領域と整列した第１の検出器をさらに備える、請求項１０に記載の装置。
【請求項１５】
前記第２の蛇行チャネル領域と整列した第２の検出器をさらに備える、請求項１４に記載の装置。
【請求項１６】
前記マイクロ流体システムは、２つより少ないチャネル交差を含む、請求項１に記載の装置。
【請求項１７】
前記流路は、第１の体積を有し、前記マイクロ流体システムへの前記流体コネクタの接続前に、該流路の中への該第１の体積より少ない制御された体積の流体の導入を可能にする、体積制御要素をさらに備える、請求項１に記載の装置。
【請求項１８】
出口に接続されることができる真空源をさらに備える、請求項１に記載の装置。
【請求項１９】
前記流体コネクタは、前記基板の特徴を補完する少なくとも１つの非流体特徴を備えることにより、接続時に該流体コネクタと該基板との間に非流体接続を形成する、請求項１に記載の装置。
【請求項２０】
前記流体コネクタは、前記基板の特徴を補完する少なくとも１つの特徴を備えることにより、該流体コネクタと該基板との間に不可逆的な接続を形成する、請求項１に記載の装置。
【請求項２１】
前記流体コネクタはさらに、生物学的実体から流体試料を受容することができる、試料採取要素を備える、請求項１に記載の装置。
【請求項２２】
前記流体コネクタは、前記生物学的実体から前記流路への流体の移動を可能にすることができる、請求項２１に記載の装置。
【請求項２３】
マイクロ流体システムを含む基板であって、該マイクロ流体システムは、入口および出口を含む第１のマイクロ流体チャネルと、入口および出口を含む第２のマイクロ流体チャネルとを備える、基板と、
流路入口および流路出口を含む流路を備える、該基板に接続することができる流体コネクタであって、接続時に、該流路入口は該第１のマイクロ流体チャネルの該出口に接続することにより、該流路出口は、該第２のマイクロ流体チャネルの該入口に接続する、流体コネクタと
を備え、該流体コネクタは、該基板の特徴を補完する少なくとも１つの非流体特徴をさらに備えることにより、接続時に、該流体コネクタと該基板との間に非流体接続を形成する、装置。
【請求項２４】
基板であって、該基板は、
第１のマイクロ流体チャネルであって、該第１のマイクロ流体チャネルは、該第１のマイクロ流体チャネル内に配置される第１の試薬を含有する、第１のマイクロ流体チャネルと、
第２のマイクロ流体チャネルであって、該第２のマイクロ流体チャネルは、該第２のマイクロ流体チャネル内に配置される第２の試薬を含有する、第２のマイクロ流体チャネルと
を備え、該第１のマイクロ流体チャネルおよび該第２のマイクロ流体チャネルは、第１の使用前には、相互に流体連通しておらず、第１の使用時には、該第１のマイクロ流体チャネルおよび該第２のマイクロ流体チャネルは相互に流体連通する、装置。
【請求項２５】
基板に形成される第１のマイクロ流体チャネルの中に第１の試薬を配置することと、
該基板に形成される第２のマイクロ流体チャネルの中に第２の試薬を配置することであって、該第１のマイクロ流体チャネルおよび該第２のマイクロ流体チャネルは、該配置することの間に相互に流体連通していない、ことと
該第１のマイクロ流体チャネルの中に該第１の試薬を格納するように、該第１のマイクロ流体チャネルの入口および／または出口を密閉することと、
該第２のマイクロ流体チャネルの中に該第２の試薬を格納するように、該第２のマイクロ流体チャネルの入口および／または出口を密閉することと
を含む、試薬を格納する方法。
【請求項２６】
基板に形成される第１のマイクロ流体チャネルを提供することであって、該第１のマイクロ流体チャネルは、第１の使用前に該第１のマイクロ流体チャネル内に配置される第１の試薬および第２の試薬を含有し、該第１の試薬および該第２の試薬は、第１の使用前に、該第１の試薬および該第２の試薬と混合しない流体によって分離される、ことと、
該基板に形成される第２のマイクロ流体チャネルを提供することであって、該第２のマイクロ流体チャネルは、第１の使用前に該第２のマイクロ流体チャネル内に配置される第３の試薬を含有する、ことであって、該第１のマイクロ流体チャネルおよび該第２のマイクロ流体チャネルは、第１の使用前に、相互に流体連通しておらず、第１の使用時に、該第１のマイクロ流体チャネルおよび該第２のマイクロ流体チャネルは、相互に流体連通する、ことと、
該第１のマイクロ流体チャネルおよび該第２のマイクロ流体チャネルを相互に流体連通させることと
を含む、方法。
【請求項２７】
前記流体連通させることは、前記第１のマイクロ流体チャネルおよび前記第２のマイクロ流体チャネルとの間の流路を接続することを含む、請求項２６に記載の方法。
【請求項２８】
前記流路は、該流路内に配置される試料を含有する、請求項２７に記載の方法。
【請求項２９】
前記試料は、流体試料である、請求項２８に記載の方法。
【請求項３０】
前記試薬は、前記流路の表面を被覆する抗凝固剤を備える、請求項１に記載の装置。
【請求項３１】
前記試薬は、ヘパリンを備える、請求項３０に記載の装置。
【請求項３２】
前記流体コネクタの前記流路は、前記基板への該流体コネクタの接続前に、自身の中に配置される一連の試薬を含有する、請求項１に記載の装置。
【請求項３３】
前記流体コネクタの前記流路は、前記基板への該流体コネクタの接続前に、自身の中に配置される試料を含有する、請求項１に記載の装置。
【請求項３４】
前記第１のマイクロ流体チャネルは、少なくとも１０：１の、長さ対平均断面寸法を有する、請求項１に記載の装置。
【請求項３５】
マイクロ流体システムを備える基板であって、該マイクロ流体システムは、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を含み、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連する整列要素であって、該基板から延在し、該流体コネクタを受容および係合して、それにより、該基板に対する所定の設定構成に該コネクタを配置するように構成および配設される、空洞を備える、整列要素と
を備え、該流体コネクタは、摺動運動によって該整列要素に挿入されるように適合される、装置。
【請求項３６】
マイクロ流体システムを備える基板であって、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を備え、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連する整列要素であって、流体コネクタを受容および係合し、それにより、該基板に対する所定の設定構成に該コネクタを配置するように構成および配設される、整列要素と
を備え、
該整列要素は係合構成要素を備え、該係合構成要素は、整列要素が該流体構成要素を受容する際に、該流体コネクタの一部分に係合して、該整列要素に対する該流体コネクタの移動への実質的な抵抗を生成するように構成および配設される、装置。
【請求項３７】
マイクロ流体システムを備える基板であって、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を備え、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連し、該基板とほぼ垂直に延在する、整列要素と
を備え、
該整列要素は、該流体コネクタに係合して、それにより、該流体コネクタの該流路が該基板とほぼ垂直である、該基板に対する所定の設定構成に該コネクタを配置するように構成および配設される、装置。
【請求項３８】
前記基板が、２つ以上の基板層を含む、請求項１に記載の装置。
【請求項３９】
前記試薬が、抗体を含む、請求項７に記載の装置。
【手続補正２】
【補正対象書類名】明細書
【補正対象項目名】００２４
【補正方法】変更
【補正の内容】
【００２４】
本発明の他の利点および新規の特徴は、添付図と併せて考慮すると、本発明の種々の非限定的な実施形態の以下の詳細な説明から明白となるであろう。本明細書および参照することにより組み込まれる文書が、相反する、および／または一貫性のない開示を含む場合、本明細書が規制するものとする。参照することにより組み込まれる２つ以上の文書が、互いに対して相反する、および／または一貫性のない開示を含む場合は、発効日が遅い文書が規制するものとする。
例えば、本発明は以下の項目を提供する。
（項目１）
基板内に形成されるマイクロ流体システムであって、少なくとも１つの入口および１つの出口を含む、第１のマイクロ流体チャネルと、少なくとも１つの入口および１つの出口を含む、第２のマイクロ流体チャネルとを備える、マイクロ流体システムと、
流路入口および流路出口を含む流路を備える、該基板に接続することができる流体コネクタであって、接続時に、該流路入口は、該第１のマイクロ流体チャネルの該出口に接続することにより、該流路と該第１のマイクロ流体チャネルとの間の流体連通を可能にし、該流路出口は、該第２のマイクロ流体チャネルの該入口に接続することにより、該流路と該第２のマイクロ流体チャネルとの間の流体連通を可能にする、流体コネクタと
を備え、
該流路は、該基板への該流体コネクタの接続前に、自身の中に配置される試薬を含有し、
該マイクロ流体システムは、該システム内の流体の再循環なしで動作するように構成および配設される、装置。
（項目２）
上記第１および第２のマイクロ流体チャネルは、第１の使用前には、相互に流体連通しておらず、第１の使用時には、該第１および第２のマイクロ流体チャネルは、相互に流体連通させられる、項目１に記載の装置。
（項目３）
上記第１のマイクロ流体チャネルは、上記基板への上記流体コネクタの接続前に、自身の中に配置される第１の試薬を備える、項目１に記載の装置。
（項目４）
上記第１のマイクロ流体チャネルは、さらに、上記基板への上記流体コネクタの接続前に、自身の中に配置される第２の試薬を備える、項目３に記載の装置。
（項目５）
上記第１および第２の試薬は、該第１および第２の試薬と混合しない流体によって分離される流体試薬である、項目４に記載の装置。
（項目６）
上記第１および第２の試薬は、液体試薬であり、該第１および第２の試薬と混合しない上記流体は、気体である、項目５に記載の装置。
（項目７）
上記第２のマイクロ流体チャネルは、自身の中に配置される試薬を含有する、項目１に記載の装置。
（項目８）
上記第２のマイクロ流体チャネルの中の上記試薬は、第１の使用前に乾燥させられる、項目７に記載の装置。
（項目９）
上記第２のマイクロ流体チャネルの中の上記試薬は、該第２のマイクロ流体チャネルの表面に吸収される、項目７に記載の装置。
（項目１０）
上記装置はさらに、上記第１および第２のマイクロ流体チャネルを封入するよう上記基板に隣接して配置される、カバーを備える、項目１に記載の装置。
（項目１１）
上記カバーは、テープである、項目１０に記載の装置。
（項目１２）
上記第１および／または第２のマイクロ流体チャネルと流体連通している反応域をさらに備え、該反応域は、該反応域の中の化学および／または生物学的反応の検出を可能にする、項目１に記載の装置。
（項目１３）
上記反応域は、少なくとも１つの蛇行チャネル領域を備える、項目１２に記載の装置。
（項目１４）
上記反応域は、直列に接続される、少なくとも２つの蛇行チャネル領域を備える、項目１２に記載の装置。
（項目１５）
上記少なくとも２つの蛇行チャネル領域の各々は、化学および／または生物学的反応を受けることができる、化学および／または生物学的種を備える、項目１４に記載の装置。
（項目１６）
上記少なくとも２つの蛇行チャネル領域の各々は、該領域の中で化学および／または生物学的反応を実行する際に、該領域の各々の中での単一の均質な信号の検出を可能にする、項目１５に記載の装置。
（項目１７）
上記第１の蛇行チャネル領域と整列した第１の検出器をさらに備える、項目１３に記載の装置。
（項目１８）
上記第２の蛇行チャネル領域と整列した第２の検出器をさらに備える、項目１７に記載の装置。
（項目１９）
上記マイクロ流体システムは、２つより少ないチャネル交差を含む、項目１に記載の装置。
（項目２０）
上記マイクロ流体システムは、チャネル交差を全く含まない、項目１に記載の装置。
（項目２１）
上記流路は、第１の体積を有し、上記マイクロ流体システムへの上記流体コネクタの接続前に、該流路の中への該第１の体積より少ない制御された体積の流体の導入を可能にする、体積制御要素をさらに備える、項目１に記載の装置。
（項目２２）
出口に接続されることができる真空源をさらに備える、項目１に記載の装置。
（項目２３）
上記流体コネクタは、上記基板の特徴を補完する少なくとも１つの非流体特徴を備えることにより、接続時に該流体コネクタと該基板との間に非流体接続を形成する、項目１に記載の装置。
（項目２４）
上記流体コネクタは、上記基板の特徴を補完する少なくとも１つの特徴を備えることにより、該流体コネクタと該基板との間に不可逆的な接続を形成する、項目１に記載の装置。
（項目２５）
上記流体コネクタはさらに、生物学的実体から流体試料を受容することができる、試料採取要素を備える、項目１に記載の装置。
（項目２６）
上記流体コネクタは、上記生物学的実体から上記流路への流体の移動を可能にすることができる、項目２５に記載の装置。
（項目２７）
基板内に形成されるマイクロ流体システムであって、入口および出口を含む第１のマイクロ流体チャネルと、入口および出口を含む第２のマイクロ流体チャネルとを備える、マイクロ流体システムと、
流路入口および流路出口を含む流路を備える、該基板に接続することができる流体コネクタであって、接続時に、該流路入口は該第１のマイクロ流体チャネルの該出口に接続することにより、該流路出口は、該第２のマイクロ流体チャネルの該入口に接続する、流体コネクタと
を備え、該基板の特徴を補完する少なくとも１つの非流体特徴をさらに備えることにより、接続時に、該流体コネクタと該基板との間に非流体接続を形成する、装置。
（項目２８）
上記マイクロ流体システムは、上記システム中の流体の再循環なしで動作するように構成および配設される、項目２７に記載の装置。
（項目２９）
上記第１および第２のマイクロ流体チャネルは、第１の使用前に、相互に流体連通しておらず、第１の使用時に、該第１および第２のマイクロ流体チャネルは、相互に流体連通させられる、項目２７に記載の装置。
（項目３０）
基板に形成され、自身の中に配置される第１の試薬を含有する、第１のマイクロ流体チャネルと、
該基板に形成され、自身の中に配置される第２の試薬を含有する、第２のマイクロ流体チャネルと
を備え、該第１および第２のマイクロ流体チャネルは、第１の使用前には、相互に流体連通しておらず、第１の使用時には、該第１および第２のマイクロ流体チャネルは相互に流体連通させられる、装置。
（項目３１）
上記第１のマイクロ流体チャネルはさらに、第３の試薬を備え、上記第１および第３の試薬は、該試薬と混合しない流体によって分離される、項目３０に記載の装置。
（項目３２）
上記第２の試薬は、第１の使用前に乾燥させられる、項目３０に記載の装置。
（項目３３）
上記第１および第２のマイクロ流体チャネルは、第１の使用前に、相互に流体連通しておらず、第１の使用時に、該第１および第２のマイクロ流体チャネルは、相互に流体連通させられる、項目３０に記載の装置。
（項目３４）
基板に形成される第１のマイクロ流体チャネルの中に第１の試薬を配置することと、
該基板に形成される第２のマイクロ流体チャネルの中に第２の試薬を配置することであって、該第１および第２のマイクロ流体チャネルは、該配置することの間に相互に流体連通していない、ことと
該第１のマイクロ流体チャネルの中に該第１の試薬を格納するように、該第１のマイクロ流体チャネルの入口および／または出口を密閉することと、
該第２のマイクロ流体チャネルの中に該第２の試薬を格納するように、該第２のマイクロ流体チャネルの入口および／または出口を密閉することと
を含む、試薬を格納する方法。
（項目３５）
密閉する前に、上記第１のマイクロ流体チャネルは、自身の中に配置される第３の試薬を含有し、上記第１および第３の試薬は、該試薬と混合しない流体によって分離される、項目３４に記載の方法。
（項目３６）
上記第２の試薬は、上記第２のマイクロ流体チャネルの上記入口を密閉する前に乾燥させられる、項目３４に記載の方法。
（項目３７）
基板に形成され、第１の使用前に自身の中に配置される第１の試薬を含有する、第１のマイクロ流体チャネルを提供することと、
該基板に形成され、第１の使用前に自身の中に配置される第２の試薬を含有する、第２のマイクロ流体チャネルを提供することであって、
該第１および第２のマイクロ流体チャネルは、第１の使用前に、相互に流体連通しておらず、第１の使用時に、該第１および第２のマイクロ流体チャネルは、相互に流体連通させられる、ことと、
該第１および第２のマイクロ流体チャネルを相互に流体連通させることと
を含む、方法。
（項目３８）
上記流体連通させることは、上記第１と第２のマイクロ流体チャネルとの間の流路を接続することを含む、項目３７に記載の方法。
（項目３９）
上記流路は、自身の中に配置される試料を含有する、項目３８に記載の方法。
（項目４０）
上記試料は、流体試料である、項目３９に記載の方法。
（項目４１）
基板に形成されるマイクロ流体システムであって、入口および出口を含む、第１のマイクロ流体チャネルと、入口および出口を含む、第２のマイクロ流体チャネルとを備える、マイクロ流体システムと、
該基板に接続することができる流体コネクタであって、流路入口および流路出口を含む流路を備え、接続時に、該流路入口は、該第１のマイクロ流体チャネルの該出口に接続することにより、該流路と該第１のマイクロ流体チャネルとの間の流体連通を可能にし、該流路出口は、該第２のマイクロ流体チャネルの該入口に接続することにより、該流路と該第２のマイクロ流体チャネルとの間の流体連通を可能にする、流体コネクタと
を備え、
該流路は、該マイクロ流体システムへの該流体コネクタの接続前に、該流路の中への第１の体積より少ない制御された体積の流体の導入を可能にすることができる、体積制御要素をさらに備える、装置。
（項目４２）
上記体積制御要素は、フリットである、項目４１に記載の装置。
（項目４３）
基板に形成されるマイクロ流体システムであって、入口および出口を含む、第１のマイクロ流体チャネルと、入口および出口を含む、第２のマイクロ流体チャネルとを備える、マイクロ流体システムと、
流路入口および流路出口を含む流路を備える、該基板に接続されることができる流体コネクタであって、接続時に、該流路入口は、該第１のマイクロ流体チャネルの該出口に接続し、該流路出口は、該第２のマイクロ流体チャネルの該入口に接続する、流体コネクタと、
生物学的構成要素を穿刺することができる、試料採取要素をさらに備える、装置。
（項目４４）
上記生物学的構成要素は、ヒト皮膚である、項目４３に記載の装置。
（項目４５）
上記試料採取要素は、上記生物学的構成要素から流体試料を受容することができる、項目４３に記載の装置。
（項目４６）
上記流体コネクタは、上記生物学的実体から上記流路への流体の移動を可能にする、項目４３に記載の装置。
（項目４７）
上記試薬は、上記流路の表面を被覆する抗凝固剤を備える、項目１に記載の装置。
（項目４８）
上記試薬は、ヘパリンを備える、項目４７に記載の装置。
（項目４９）
上記流体コネクタの上記流路は、上記基板への該流体コネクタの接続前に、自身の中に配置される一連の試薬を含有する、項目１に記載の装置。
（項目５０）
上記流体コネクタの上記流路は、上記基板への該流体コネクタの接続前に、自身の中に配置される試料を含有する、項目１に記載の装置。
（項目５１）
上記第１のマイクロ流体チャネルは、少なくとも１０：１の、長さ対平均断面寸法を有する、項目３に記載の装置。
（項目５２）
マイクロ流体システムを備える基板であって、該マイクロ流体システムは、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を含み、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連する整列要素であって、該基板から延在し、該流体コネクタを受容および係合して、それにより、該基板に対する所定の設定構成に該コネクタを配置するように構成および配設される、空洞を備える、整列要素と
を備え、該流体コネクタは、摺動運動によって該整列要素に挿入されるように適合される、装置。
（項目５３）
上記空洞は、上記流体コネクタと上記整列要素との係合時に、上記流路入口および流路出口の位置から測定して少なくとも１ｃｍの深さを有する、項目５２に記載の装置。
（項目５４）
上記整列要素は、上記基板とほぼ垂直に延在する、項目５２に記載の装置。
（項目５５）
上記流体コネクタは、上記整列要素の一部分を補完する形状および構成を有する、整列構成要素を備える、項目５２に記載の装置。
（項目５６）
マイクロ流体システムを備える基板であって、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を備え、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連する整列要素であって、流体コネクタを受容および係合し、それにより、該基板に対する所定の設定構成に該コネクタを配置するように構成および配設される、整列要素と
を備え、
該整列要素は係合構成要素を備え、該係合構成要素は、整列要素が該流体構成要素を受容する際に、該流体コネクタの一部分に係合して、該整列要素に対する該流体コネクタの移動への実質的な抵抗を生成するように構成および配設される、装置。
（項目５７）
上記係合構成要素は、上記流体コネクタの係合構成要素を補完する、項目５６に記載の装置。
（項目５８）
上記整列要素は、上記基板とほぼ垂直に延在する、項目５６に記載の装置。
（項目５９）
上記整列要素は、少なくとも１ｃｍ２の面積にわたって上記流体コネクタに接触する、項目５６に記載の装置。
（項目６０）
上記係合構成要素は、上記流体コネクタと上記整列要素との係合時に、上記流路入口および流路出口の位置から測定して少なくとも１ｃｍの高さを有する、項目５６に記載の装置。
（項目６１）
マイクロ流体システムを備える基板であって、入口および出口を含む、第１のマイクロ流体チャネルと、入口および出口を含む、第２のマイクロ流体チャネルとを含む、基板と、
該基板への接続に合致するように構成される流体コネクタであって、流路入口および流路出口を含む流路を備え、該基板への該流体コネクタの接続時に、該流路入口は、該第１のマイクロ流体チャネルの該出口に接続し、該流路出口は、該第２のマイクロ流体チャネルの該入口に接続する、流体コネクタと、
該基板と関連し、該基板とほぼ垂直に延在する、整列要素と
を備え、
該整列要素は、該流体コネクタに係合して、それにより、該流体コネクタの該流路が該基板とほぼ垂直である、該基板に対する所定の設定構成に該コネクタを配置するように構成および配設される、装置。